(57)【要約】【課題】ロータの取り出しが容易で、分解が容易である微霧ノズルを提供する。【解決手段】本体１０は、軸方向に収容室１２が形成され、収容室１２の一端に入水口が形成されている。ロックキャップ２０は、本体１０の一端に接続され、軸方向の内部に通路が形成され、通路の一端面に噴出口２６が貫通形成され、噴出口２６が通路に通じている。ロータ４０は、本体１０の収容室１２の内部に設けられ、ロッド体部４３と、ロッド体部４３の一端に形成され、ロックキャップ２０の通路に対応した２つのガイド溝４６と、ロッド体部４３の他の一端にネック部４７が延在され、ネック部４７の端部にワッシャ４８が延在されている。ロックキャップ２０が本体１０から離れた場合、使用者はロータ４０を引き出すと同時に、止水装置３０を取り出すことができる。【選択図】図１
0003132087.tif 000002
【実用新案登録請求の範囲】
【請求項１】
軸方向に収容室が形成され、収容室の一端に入水口が形成されている本体と、
本体の一端に接続され、軸方向の内部に通路が形成され、通路の一端面に噴出口が貫通形成され、噴出口が通路に通じるロックキャップと、
本体の収容室の内部に設けられ、ロッド体部と、ロッド体部の一端に形成され、ロックキャップの通路に対応した２つのガイド溝と、ロッド体部の他の一端にネック部が延在され、ネック部の端部にワッシャが延在され、ロッド体部の外径よりワッシャの外径が大きく、本体の入水口に対応したロータと、
を備えることを特徴とする微霧ノズル。
【請求項２】
ロックキャップにはねじ柱が設けられ、表面に外ねじを有し、本体の収容室の壁面に内ねじが設けられ、ねじ柱の外ねじが収容室の内ねじに螺合されていることを特徴とする請求項１記載の微霧ノズル。
【請求項３】
ロックキャップの内壁面に内ねじが設けられ、本体には凸柱が設けられ、表面に外ねじを有し、凸柱の外ねじがロックキャップの内ねじに螺合されていることを特徴とする請求項１記載の微霧ノズル。
【請求項４】
ロックキャップにプラグ孔が設けられ、プラグ孔にプラグが設けられ、プラグに噴出口が開設されていることを特徴とする請求項１または請求項３のいずれかに記載の微霧ノズル。
【請求項５】
軸方向に収容室が形成され、収容室の一端に入水口が形成されている本体と、
本体の一端に接続され、軸方向の内部に通路が形成され、通路の一端に噴出口が貫通形成され、噴出口が通路に通じるロックキャップと、
本体の収容室の内部に設けられ、ロッド体部と、ロッド体部の一端面に形成され、ロックキャップの通路に対応した２つのガイド溝と、ロッド体部の他の一端にネック部が延在され、ネック部の端部にワッシャが延在され、ロッド体部の外径よりワッシャの外径が大きく、本体の入水口に対応したロータと、
本体の収容室内に設けられ、ボール弁とばねとの組み合わせを含み、ばねの一端がワッシャの表面に当接され、他の一端がボール弁に接続され、ボール弁の一端が本体の入水口に当接されている止水装置と、
を備えることを特徴とする微霧ノズル。
【請求項６】
ロックキャップにはねじ柱が設けられ、表面に外ねじを有し、本体の収容室の壁面に内ねじが設けられ、ねじ柱の外ねじが収容室の内ねじに螺合されていることを特徴とする請求項５記載の微霧ノズル。
【請求項７】
ロックキャップの内壁面に内ねじが設けられ、本体には凸柱が設けられ、表面に外ねじを有し、凸柱の外ねじがロックキャップの内ねじに螺合されていることを特徴とする請求項５記載の微霧ノズル。
【請求項８】
ロックキャップにプラグ孔が設けられ、プラグ孔にプラグが設けられ、プラグに噴出口が開設されていることを特徴とする請求項５または請求項７のいずれかに記載の微霧ノズル。
【請求項９】
ワッシャの表面に止水装置のばねに接続される凸バックルが突設されていることを特徴とする請求項５記載の微霧ノズル。
【考案の詳細な説明】
【技術分野】
【０００１】
本考案は、分解容易な微霧ノズル（NOZZLE）に関し、特に、所定の管路または容器に組み付けられ、液体がノズルから噴出した際に、霧化を発生させる微霧ノズルに関する。
【背景技術】
【０００２】
一般に、微霧ノズルは、主に、軸方向内にロータが設けられた本体と、本体の一端にロックされ、噴出口を有するロックキャップとを備えている。このように、液体が本体の内部を流通し、噴出口から噴射された場合、ロータが回転し、また、噴出口が小口径であるため、液体を微霧の状態にして噴出することができる。しばらく使用すると、不純物や水垢によって微霧ノズルは所定の霧を生成することができなくなるため、洗浄が必要となる。洗浄は、微霧ノズルの各部材を分離させる方法が用いられるが、微霧ノズルの各部材の体積が小さく、また、不純物による各部材への制限によって、各部材は自由に脱出することができなくなる。従って、一般的には、本体を上下に反転させ、揺動または振動により、ロータが本体から脱出され、さらには、工具または補助器具で釣り上げることにより、ロータを取り出す必要があるため、使用者には各部材の分離が極めて容易ではなく、洗浄もそれだけ不便になることがある。
さらに、微霧ノズルが使用されていない時には、液体が漏れる場合がよくある。これは、主に、ロータと入水口との間に良好な密封効果がないため、液体の漏れのないように本体内に適当な漏れ止め装置を設ける必要があるためである。
【考案の開示】
【考案が解決しようとする課題】
【０００３】
そこで、従来技術のように微霧ノズルの各部材の分離が容易ではなく、洗浄の作業が行われにくくなることに鑑み、本考案は、従来技術の欠点を解決するための新規な微霧ノズルの構造を提供することを目的とする。
また、本考案は、ロータの取り出しを容易にするため、分解が容易である微霧ノズルを提供することを目的とする。
さらに、本考案は、液体の漏れのないように漏れ止め装置が設けられている分解が容易である微霧ノズルを提供することを目的とする。
【課題を解決するための手段】
【０００４】
上記の目的、効果によれば、本考案は、本体とロックキャップとの組み合わせと、本体の内部に設けられ、突出構造であるワッシャを有するロータとを備える。ロックキャップが本体から離れると、使用者は、ワッシャを把持することにより、ロータを容易に取り出すことができるようになる。
【０００５】
さらに、本体の入水口とロータとの間に止水装置が設けられ、該止水装置は、入水口に当接されているボール弁と、一端がボール弁に接続され、他の一端がワッシャの表面に突設された凸バックルに接続されているばねとを備えている。このように、ロックキャップが本体から離れた場合、使用者は、ロータを引き出すと同時に、止水装置を取り出すことができるようになる。
【考案を実施するための最良の形態】
【０００６】
以下、本考案に記載の目的、効果および構造態様に基づいて、図面を参照しながら好ましい実施形態を詳しく説明する。
図１を参照して、本考案の第１実施例による微霧ノズルは、本体１０、ロックキャップ２０、止水装置３０およびロータ４０を備えている。本体１０は、軸方向に収容室１２が設けられ、収容室１２の内壁面に内ねじ１４が設けられている。ロックキャップ２０は、一端に突出したねじ柱２２が設けられ、ねじ柱２２の表面に外ねじ２４が設けられている。また、ロックキャップ２０の上に貫通された噴出口２６が開設されている。止水装置３０は、ボール弁３２とばね３４とを備えている。ロータ４０は、長柱状のロッド体部４３を備え、ロッド体部４３が第１の端４１および第２の端４２を有し、環状斜面４４がロータ４０の表面に形成され、かつ第１の端４１に近接している。第１の端４１の端面からロータ４０の軸方向に沿って互いに対向するガイド溝４６が２つ設けられ、第２の端４２にネック部４７が延在形成され、ワッシャ４８がネック部４７の端部に接続されている。また、ワッシャ４８の一側にはさらに凸バックル４９が設けられている。
【０００７】
図２を参照して、ロックキャップ２０は、軸方向に通路２５が形成され、噴出口２６が通路２５の一端に形成されている。止水装置３０は、本体１０の収容室１２内に設けられ、ボール弁３２は入水口１６に当接されている。ロックキャップ２０は、ねじ柱２２の外ねじ２４により収容室１２の内ねじ１４に螺合されている。ロータ４０は、本体１０とロックキャップ２０との間に設けられている。より詳しくは、ロータ４０の一端に設けられたワッシャ４８がばね３４に対応し、かつ凸バックル４９がばね３４に連結されている。また、ロータ４０のガイド溝４６が噴出口２６に対応している。また、ロータ４０とロックキャップ２０との間に隙間９０が形成され、液体が入水口１６から流入してボール弁３２を押し開いて、隙間９０を流通してロータ４０の回転運動に応じて噴出口２６から噴出された際に霧の状態となる。
【０００８】
図９を参照して、ロックキャップ２０が本体１０から離れ、ロータ４０がロックキャップ２０から離れた場合、使用者は、ロータ４０を容易に把持することができるとともに、ロータ４０を取り出すことができる。従って、本実施例によれば、使用者は各部材の分離が容易になり、各部材の洗浄が便利になるため、微霧ノズルの機能を回復することができるようになる。
【０００９】
図３及び図４を参照して、本考案の第２実施例による微霧ノズルにおいては、ロックキャップ２０の上にプラグ孔６２が開設され、プラグ孔６２内にプラグ６４が設けられ、プラグ６４に噴出口６６が開設されている。ロックキャップ２０は、ねじ柱２２の外ねじ２４と本体１０の内ねじ１４により螺合され、止水装置３０及びロータ４０はロックキャップ２０及び本体１０内に設けられている。ボール弁３２のボール弁ネック３６がばね３４の一端に接続され、ロータ４０の凸バックル４９がばね３４の他の一端に接続されているため、ロックキャップ２０が本体１０から離れた場合、使用者はロータ４０を容易に把持することができると同時に、ロータ４０、ばね３４及びボール弁３２を取り出すことができるようになる。
【００１０】
図５および図６を参照して、本考案の第３実施例による微霧ノズルにおいて、本体１０は、一端に凸柱１８が設けられ、かつ表面に外ねじ１９が設けられている。ロックキャップ２０の内壁面に内ねじ２８が設けられている。止水装置３０は本体１０の収容室１２内に設けられ、ロックキャップ２０は内ねじ２８及び本体１０の凸柱１８の外ねじ１９によって螺合されている。ロータ４０は、ロックキャップ２０及び本体１０内に設けられ、かつ凸バックル４９はばね３４に連結されている。ボール弁３２のボール弁ネック３６がばね３４の一端に接続され、ロータ４０の凸バックル４９がばね３４の他の一端に接続されているため、ロックキャップ２０が本体１０から離れた場合、使用者はロータ４０を容易に把持することができると同時に、ロータ４０、ばね３４及びボール弁３２を取り出すことができる。
【００１１】
図７及び図８を参照して、本考案の第４実施例による微霧ノズルにおいては、ロックキャップ２０の内壁面に内ねじ２８が設けられ、外表面にプラグ孔６２が開設され、プラグ孔６２内にプラグ６４が設けられ、プラグ６４に噴出口６６が開設されている。ロックキャップ２０は、内ねじ２８と本体１０の凸柱１８の表面の外ねじ１９により螺合されている。止水装置３０及びロータ４０は、ロックキャップ２０及び本体１０内に設けられている。ボール弁３２のボール弁ネック３６がばね３４の一端に接続され、ロータ４０の凸バックル４９がばね３４の他の一端に接続されているため、ロックキャップ２０が本体１０から離れた場合、使用者はロータ４０を容易に把持することができると同時に、ロータ４０、ばね３４及びボール弁３２を取り出すことができる。
【００１２】
上述のように、本実施例によれば、ロータ４０は突出の凸バックル４９を有し、ばね３４を本体１０の内部から取り出すことができるため、微霧ノズルの各部材の分離に寄与している。また、本実施例においては、ロックキャップ２０と本体１０とが内ねじと外ねじとにより螺合され、ロックキャップ２０にはさらにプラグ６４が配設されてよいため、多様な構造変化を有し、製品の製造にはより多くの選択がある。
【００１３】
図１０は、本考案の第５実施例による微霧ノズルにおいて、ロータ４０が本体１０とロックキャップ２０との組み合わせの内部に設けられている様子を示しており、ロータ４０の一端にワッシャ４８が形成されている。
図１１を参照して、ロックキャップ２０が本体１０から離れ、ロックキャップ２０が上下に反転した場合、ロータ４０の一端のワッシャ４８がロックキャップ２０に露出するようになるため、使用者はワッシャ４８を容易に把持することができるとともに、ロータ４０を取り出すことができるようになる。
【００１４】
図１２を参照して、本考案の第６実施例による微霧ノズルにおいて、ロックキャップ２０は一端面にプラグ孔６２が開設され、プラグ６４に噴出口６６が開設され、プラグ６４がプラグ孔６２に設けられているように構成されている。
図１３を参照して、本考案の第７実施例による微霧ノズルにおいて、ロータ４０のワッシャ４８の表面には凸バックル４９が突設されている。ロックキャップ２０が本体１０から離れ、ロックキャップ２０が上下に反転した場合、ワッシャ４８及び凸バックル４９がロックキャップ２０の一端に露出するようになるため、使用者は凸バックル４９またはワッシャ４８を把持することにより、ロータ４０を容易に取り出すことができるようになる。
【図面の簡単な説明】
【００１５】
【図１】本考案の第１実施例による微霧ノズルを示す分解斜視図である。
【図２】本考案の第１実施例による微霧ノズルを示す模式図である。
【図３】本考案の第２実施例による微霧ノズルを示す分解斜視図である。
【図４】本考案の第２実施例による微霧ノズルを示す模式図である。
【図５】本考案の第３実施例による微霧ノズルを示す分解斜視図である。
【図６】本考案の第３実施例による微霧ノズルを示す模式図である。
【図７】本考案の第４実施例による微霧ノズルを示す分解斜視図である。
【図８】本考案の第４実施例による微霧ノズルを示す模式図である。
【図９】本考案の第１実施例による微霧ノズルの分離状態を示す模式図である。
【図１０】本考案の第５実施例による微霧ノズルを示す模式図である。
【図１１】本考案の第５実施例による微霧ノズルの分離状態を示す模式図である。
【図１２】本考案の第６実施例による微霧ノズルを示す模式図である。
【図１３】本考案の第７実施例による微霧ノズルを示す模式図である。
【符号の説明】
【００１６】
１０：本体、１２：収容室、１４：内ねじ、１６：入水口、１８：凸柱、１９：外ねじ、２０：ロックキャップ、２２：ねじ柱、２４：外ねじ、２５：通路、２６：噴出口、２８：内ねじ、３０：止水装置、３２：ボール弁、３４：ばね、３６：ボール弁ネック、４０：ロータ、４１：第１の端、４２：第２の端、４３：ロッド体部、４４：環状斜面、４６：ガイド溝、４７：ネック部、４８：ワッシャ、４９：凸バックル、６２：プラグ孔、６４：プラグ、６６：噴出口
【図１】
0003132087.tif 000003
【図２】
0003132087.tif 000004
【図３】
0003132087.tif 000005
【図４】
0003132087.tif 000006
【図５】
0003132087.tif 000007
【図６】
0003132087.tif 000008
【図７】
0003132087.tif 000009
【図８】
0003132087.tif 000010
【図９】
0003132087.tif 000011
【図１０】
0003132087.tif 000012
【図１１】
0003132087.tif 000013
【図１２】
0003132087.tif 000014
【図１３】
0003132087.tif 000015